(57)【要約】  換気シャフトを通じて換気シャフトの大気開口に流体連通する地下換気ダクトへの換気シャフトを通じた換気を可能にする、並びに、洪水の恐れのあるときには、換気ダクト内への地表水の下向きの流れを阻止するように動作可能である、装置が、換気シャフト内に適合する支持体側壁を含んで、支持体頂部開口及び底部開口と懸架部材との間の換気通路を提供し、懸架部材は、頂部開口に近接して対向する横方向側壁上で支持されて、通路を回転的に閉鎖するよう手動で外れて手動で回転的にホーム位置まで回転的に持ち上げ可能であることで換気を可能にする１つ又はそれよりも多くのヒンジ接続されるパネルを保持する。パネルドレインは、パネルがホーム位置まで上昇させられるときに自動的に閉鎖する。パネルと懸架部材ホルダとの間の解放可能なラッチシステムは、上昇するパネルをホーム位置において保持するよう、上昇するパネルを捕捉する。懸架部材は、特定のパネルが特定の側壁に面するよう、キー付けられた支持体内に収容される端キーを含んでよい。
2019525126.tif 000002
【特許請求の範囲】
【請求項１】
垂直の換気シャフトを通じて該換気シャフトの大気開口に流体連通する地下換気ダクトへの前記換気シャフトを通じる換気を可能にする、並びに、洪水の恐れがあるときに、前記地下換気ダクト内への地表水の下向きの流れを阻止するように手動で動作可能である、装置であって、
前記換気シャフト内の配置のために対向する横方向側壁を含む支持体であって、支持体を通じて上方の前記大気開口に至る前記地下換気ダクトの流体連通のために支持体の頂部開口と底部開口との間に通路を定める、支持体と、
近位端及び遠位端と頂面及び底面とを有する１つ又はそれよりも多くのパネルであって、前記近位端は、前記通路を妨げない直立ホーム位置への上向きの各パネルの回転及び下方通路閉鎖位置に達するような専らその自重の重力の推進力による直立ホーム位置から下向きの回転のために前記対向する横方向側壁に対して垂直なヒンジ軸を有する水平ヒンジと接続し、前記１つ又はそれよりも多くのパネルは、各パネルが重力により前記通路まで回転するときに前記通路を閉鎖するプロファイルを有する、１つ又はそれよりも多くのパネルと、
前記下方通路閉鎖位置への各パネルの前記下向きの回転を制限する少なくとも１つの抑制体と、
前記頂部開口に近接して前記対向する横方向側壁上で支持される前記通路を塞がないよう水平に架かり、前記底部開口に近接して前記通路内で前記１つ又はそれよりも多くのヒンジ接続されるパネルを保持する、懸架部材と、
各パネルを前記直立ホーム位置に保持するパネルホルダであって、前記懸架部材より下方で前記懸架部材によって又は前記パネルによって支持される可動部材と、該可動部材を支持しない前記懸架部材又は前記パネルの他方によって支持される非可動部材とを含み、前記可動部材は、前記パネルが前記直立ホーム位置まで上向きに回転させられるときに、前記非可動部材を捕捉して保持する、パネルホルダと、
該パネルホルダのためのパネル解放装置であって、前記懸架部材によって支持される前記可動又は非可動パネルホルダ部材に接続されるリンケージを含み、該リンケージは、前記懸架部材に対して可動であることで、前記可動又は非可動部材を並進させて、前記パネルを前記直立ホーム位置から解放し、前記パネルが前記下方通路閉鎖位置まで重力により回転的に落下することを可能にする、パネル解放装置と、
前記１つ又はそれよりも多くのパネルを前記通路閉鎖位置から前記直立ホーム位置に向かって手動で回転的に上昇させるために前記１つ又はそれよりも多くのパネルの前記頂面にあるパネルハンドルと、
各パネルのためのリフトアームであって、各リフトアームは、前記ヒンジ軸と平行なピボット軸でピボットピンによって前記パネルの前記底面に枢動的に接続される近位端と、遠位端とを有し、各リフトアームは、前記直立ホーム位置への前記パネルの回転を完了させるよう、前記パネルハンドルを用いて上昇させられる前記接続されるパネルに対して横方向の力を加えるために、前記遠位端が前記側壁の内側で上向きに枢動させられるときに、前記遠位端を前記対向する横方向側壁の一方と接触させるような寸法を有し、
前記１つ又はそれよりも多くのパネルのうちの少なくとも１つのパネルの前記近位端と前記遠位端との中間にある前記１つ又はそれよりも多くのパネルのうちの少なくとも１つのパネル内のドレインとを含み、該ドレインは、前記パネルを通じる導管を含み、該導管は、前記パネル頂面にある開口と、ドレインを有する各パネルにある自己作動ドレイン閉鎖装置とを有し、該自己作動ドレイン閉鎖装置は、前記ドレイン導管と各パネルの前記遠位端との間に位置付けられるドレインプラグ軸で枢動的に回転可能なプラグを含み、前記ドレインプラグ軸は、前記水平なヒンジ軸と平行であり、前記プラグは、各パネルが前記通路閉鎖位置にあるときに、前記プラグを前記ドレイン開口から取り外して、前記１つ又はそれよりも多くのパネルより上方に収容される水を排水するよう、前記ドレインプラグ軸で手動で上向きに枢動可能であり、前記プラグは、前記ドレインを含む前記パネルが前記直立ホーム位置まで上向きに枢動的に上昇させられるときに、その自重の重力による推進力によって、自動的に下向きに枢動して、前記プラグを前記導管開口内に配置し、それにより、前記パネルが前記通路閉鎖位置まで重力により下向きに回転するときに、前記導管開口は既に閉鎖している、
装置。
【請求項２】
前記大気開口は、直線的であり、前記支持体は、四辺形であり、前記対向する側壁は、それぞれ、前記頂部開口に隣接して前記通路内で中心的に、水平バー上で垂直アーム内に前記ビームを持ち上げ式に取り外し可能に収容し且つ支持するために、前記水平バーに接続し且つ前記水平バー上で直立する一対の離間した平行な垂直アームを有するクレードルを取り付ける、請求項１に記載の装置。
【請求項３】
前記四辺形の支持体は、パネル上の構造がインジケータより下方に配置される場所を示すよう、前記対向する横方向側壁に隣接して少なくとも１つの側壁に少なくとも１つのインジケータを有し、前記懸架部材は、両端を有し、各端は、前記懸架部材の側面を越えて横方向に延びるキーを支持し、各クレードルは、前記クレードルの１つのアーム内でのみ前記キーを受けるようキー付けられるので、その構造を有する前記パネルは、前記インジケータより下方に配置される、請求項２に記載の装置。
【請求項４】
前記パネルホルダの前記非可動部材は、ラッチキャッチを含み、前記パネルホルダの前記可動部材は、前記ラッチキャッチと係合可能なラッチを含む、請求項１に記載の装置。
【請求項５】
前記パネル頂面は、ラッチキャッチを含み、前記ラッチは、前記懸架部材によって支持される、請求項４に記載の装置。
【請求項６】
前記パネル頂面は、前記ラッチを含み、前記ラッチキャッチは、前記懸架部材によって支持される、請求項４に記載の装置。
【請求項７】
前記リフトアームは、前記遠位端を回転的に外向きに且つ上向きに押すようバネ付勢される、請求項１に記載の装置。
【請求項８】
バネが、前記リフトアームのピボットピンの周りに中心的に巻き付けられ、前記バネは、対向する第１の端及び第２の端で終端し、該対向する第１の端及び第２の端は、近位シャンクを含む直線部分と、前記近位シャンクに対して直角に曲げられた遠位部分とを有し、前記第１の端の前記遠位部分は、前記ピボットピンに近接して前記リフトアームの下面に亘って係合的に延び、前記第２の端の前記遠位部分は、前記第１の端の前記遠位部分よりも前記ピボットピンから遠い前記リフトアームの頂面に亘って係合的に延びる、請求項７に記載の装置。
【請求項９】
各ピボットアームのためのステーと、各ステーの上方端を枢動的に接続する前記リフトアームのピボットピンに隣接するステーピボットピンとを含み、前記ステーの下方端は、隣接するリフトアームに向かって外向きに曲がって、前記リフトアームの前記頂面の近位部分に亘って延び、且つ前記リフトアームの前記頂面の近位部分と解放可能に接触し、前記バネ付勢は、前記リフトアームを前記ステーに押し付けて、前記リフトアームが外向き及び上向きに回転するのを抑制する、請求項８に記載の装置。
【請求項１０】
各リフトアームは、前記アームの前記遠位端が前記側壁上で上向きに進行するよう、前記リフトアームと係合し且つ前記リフトアームを枢動的に上向きに引くために、前記大気開口から垂直に下降させられるリーチツールによる係合のための、前記アームの底部分にある構成を有する、請求項９に記載の装置。
【請求項１１】
前記ステーは、前記大気開口から垂直に下降させられるリーチツールによって解放可能であることで、前記リフトアームの前記バネ付勢される遠位端が、前記大気開口から垂直に下降させられる前記リーチツールによる捕捉のために、横方向に外向きに枢動して、前記アームの前記遠位端が前記側壁上で上向きに進行するよう、前記リフトアームと係合し且つ前記リフトアームを駆動的に上向きに引くことを可能にする、請求項１に記載の装置。
【請求項１２】
前記プラグは、前記プラグを含む前記パネルが前記通路閉鎖位置にあるときに、前記プラグ外周と前記導管開口との間の如何なる空間をも封止するよう、前記プラグ外周の周りに上向きに凹面の封止ガスケットを更に含む、請求項１に記載の装置。
【請求項１３】
前記ドレインを含む各パネルは、前記ドレインと各パネルの前記遠位端との間で各パネルの前記頂面に固定的に取り付けられる離間したポストを有し、前記ドレインプラグ軸は、前記ポストによって前記水平なヒンジ軸と平行に支持され、前記パネル頂面より上方で前記ポストの間に架かる、ロッドを含み、
各ドレイン閉鎖装置は、
上昇させられたドレイン開放位置及び下降させられたドレイン閉鎖位置への前記アームの移動のために、前記ロッドと共に或いは前記ロッド上で前記アームの近位端で枢動的に回転可能なプラグアームであって、前記ロッドから遠隔の取付け突起を含む、プラグアームと、
上向きに凹面の封止ガスケットと、
頂板及び底版であって、両方とも前記封止ガスケットよりも大きさが小さい、頂板及び底板とを含み、
前記凹面の封止ガスケットは、前記頂板と前記底板との間に固定され、少なくとも前記底板は、前記導管開口に入り且つ塞ぐように構成された大きさを有し、前記頂板及び前記底板は、前記底板より上方に延びる外側の上向きに凹面のガスケット部分を露出させ、前記頂板及び前記底板は、前記取付け突起で前記アームに固定的に接続されて、前記アームの重心を前記ドレインの方向において前記ロッドの前記ピボット軸を越えて配置するので、前記ドレインを含むパネルが、前記パネルが前記通路閉鎖位置にある間に、前記上昇させられた位置にある前記プラグアームに、前記パネルより上方の水を排水させた後に、前記ドレインを含む前記パネルが、前記プラグアームが上昇させられた位置にある状態で、前記直立ホーム位置に向かって上向きに回転させられるときに、前記プラグアームは、前記上昇させられるプラグアームの前記重心に作用する重力の故に、前記プラグアームを前記上昇させられた位置から前記パネルと平行な位置まで下向きに回転させ、少なくとも前記底板を前記ドレイン導管開口内に配置し、それにより、前記開口を前記外側の上向きに凹面のガスケット部分で閉鎖して、前記頂板及び前記底板と前記開口との間の空間を封止する、
請求項１に記載の装置。
【請求項１４】
前記プラグアームは、アームを持ち上げるリーチツールによる前記アームの捕捉のために前記ロッドから遠位の前記アームの下面にあるレリーフを含む、請求項１３に記載の装置。
【請求項１５】
前記プラグアームは、アームを持ち上げるリーチツールによる前記アームの捕捉のために前記ロッドから遠位の前記アームの端にある凹部を含む、請求項１３に記載の装置。
【発明の詳細な説明】
【技術分野】
【０００１】
（関連出願の参照）
この出願は、この出願と同様に２０１３年１０月６日に出願された米国仮出願第６１／８８７，４１６号の利益を主張する、２０１４年１０月６日に出願された米国特許出願第１４／５０６，７７８号の一部継続出願であり且つその利益を主張し、更に、２０１６年７月１５日に出願された米国仮特許出願第６２／３６３，０２４号の利益を更に主張し、それらの全ての開示を参照として本明細書に援用する。
【０００２】
（連邦政府による資金提供を受けた研究開発に関する陳述）
該当しない。
【０００３】
この発明は、洪水(flooding  water)が地下換気通路(underground  ventilation  passages)に入るのを阻止することに関する。
【背景技術】
【０００４】
地下室又は地下トンネルを地表で空気に接続する換気ダクトを通じて地下トンネル及び地下室内に進入して氾濫させる表面暴風雨(surface  storm)は、非限定的に、道路車両、列車及び地下鉄用の地下輸送トンネル、並びに、例えば、地下水力発電所のようなものに使用されるような、接続トンネル及びシャフトの複合体と関連付けられるような、或いは地下変圧器室のような換気を必要とする地下ユーティリティと関連付けられるような、地下室に影響を及ぼす。
【０００５】
典型的な地下鉄換気構成において、換気ダクト又はシャフトは、駅の近くの地下鉄システムに組み込まれて、電車が駅に近づくにつれて淀んだ押された空気を排出し、電車が駅を出るにつれて新鮮な外気を引き込み、その上、移動する列車によって高速でトンネルを通過させられる空気の「ピストン効果(piston  effect)」を減少させる。典型的には、換気ダクトは、地下トンネルから連絡して、地下鉄格子によって開口が覆われる歩道のようなグレードレベル(地盤面高さ)(grade  level)で大気に開放するグレードレベルより下の換気シャフト構造内で終端する。
【０００６】
地下鉄は、水に対処するためのシステムを有する。雨が降ると、水は階段を流れ落ち、プラットホームに流れ、そこから軌道(tracks)に流れ、一部は表面格子を通じて換気システムに入る。軌道より下のドレイン(排水路)(drains)は、地下鉄軌道に隣接するポンプ室内の地下水だめに水を送る。ポンプは、街路高さで大気に開放される圧力解放マンホールまで水を引き上げ、そこから、排水は重力の下で都市の雨水管渠に流れ込む。問題は、豪雨時に雨水管渠が圧倒されて、水を街路に勢いよく戻し、街路を氾濫させて、水が歩道を浸水し、地下鉄格子を通じて換気システムに流れ込み、そこから、トンネルに流れ、そして、軌道に流れる。ポンピングシステムは、水を浸水した街路に戻すことだけであり得る。水は、そこから、換気システムに注いでいる洪水プールに再び入り、地下鉄の洪水を制御する手段としてのポンピングシステムを打ち負かす。その問題は、低地にあり、高潮の影響を受けやすく、グレードレベルの格子、階段、地下鉄内への水の他の侵入点が点在する、New  York及びLower  Manhattanのような都市で、特に深刻である。
【０００７】
２００７年の激しい暴風雨による洪水後のBrooklyn、Queens、及びManhattan内のNew  York  City内の幾つかの場所で行われたように、歩道格子開口から換気ダクトを通じて地下システムへの流出水の浸入を減らす1つの解決策は、地下鉄換気格子を側道高さより上に上昇させることであった。これは実施するのに費用がかかるだけでなく、歩行者が利用可能な歩道領域の多くも犠牲にした。２０１３年のサンディ大暴風雨(super  storm  Sandy)に先立って、地下鉄の洪水の前兆となる豪雨に加えて高潮と干潮が予測されるとき、土嚢及び合板締結(fastening  plywood)に頼る労働者は、地下鉄換気格子を覆って、洪水を防ぐことを試みた。サンディは、地下鉄及び通気孔付き地下構造の洪水ハザードの証しであった。サンディによる地下鉄洪水で明らかにされたように、合板締結は、不完全な労働力及び材料集約的プロセスにおける解決策として、短い時間期間内に多数の通気孔格子の覆い、少なすぎ遅すぎることがあり得る。より簡単で、より素早く、比較的安価で、より効果的な、歩道通気孔格子を通じる洪水を防止する方法が、必要とされている。
【図面の簡単な説明】
【０００８】
【図１】図５の実施形態を受け入れる四辺形（４辺付き）支持体構造の等角図である。
【図２】図１の四辺形実施形態の頂面図である。
【図２Ａ】図２の線２Ａ−２Ａに沿って取られた図１の四辺形実施形態の断面図である。
【図３】左側からこの視野において見た図１、図２及び図２Ａの四辺形支持体内に受け入れられた図５のパネルアセンブリの等角図である。
【図４】図３の図から１８０度回転させられた図１、図２及び図２Ａの四辺形支持体内に受け入れられた図５のパネルアセンブリの等角図である、即ち、図３の反対側（右側）の図である。
【図５】パネルが下降させられた位置にある状態の持上げ式に取り外し可能なパネルアセンブリの等角頂面図である。
【図６】参照番号６によって示す破線において示す図５の部分の拡大図である。
【図７】参照番号７によって示す破線において示す図５の部分の拡大図である。
【図８】参照番号８によって示す破線において示す図５の部分の拡大図である。
【図９】図６の代替的な実施形態である。
【図１０】図７の代替的な実施形態である。
【図１１】図１の支持体内の所定の場所にある下降させられた位置における図５のパネルを示す正面図である。
【図１２Ａ】図５におけると同じ視野からの図５の実施形態の右側にあるパネルの実施形態の頂面の等角図である。
【図１２Ｂ】図１０Ａのパネルの実施形態の底面の等角図である。
【図１３Ａ】図５におけると同じ視野からの図５の実施形態の左側にあるパネルの実施形態の頂面の等角図である。
【図１３Ｂ】図１３Ａのパネルの実施形態の底面の等角図である。
【図１４】実施形態の底の視野を表す図３及び図５の実施形態の等角図である。
【図１４Ａ】図１４の底部分の拡大図である。
【図１５】ステーが係合させられた状態のリフトアームを示す図３及び図５の実施形態の斜視底面図である。
【図１６】図１４、図１４Ａ及び図１５の実施形態のステー及びリフトアームの背面図である。
【図１７】図１６のリフトアーム及びステーの配置の陰影図である。
【図１８】ステーが解放された状態のリフトアームを示す図３及び図５の実施形態の斜視底面図である。
【図１９】図４の実施形態の頂面図である。
【図１９Ａ】ステーが係合させられた状態のリフトアームを示す図１９の線１９Ａ−１９Ａに沿って取られた図１９の実施形態の断面図である。
【図２０】部分的に上昇させられたパネル及びステーが解放された状態のリフトアームを示す図１９の実施形態の頂面図である。
【図２０Ａ】ステーが解放された状態のリフトアームを示す図２０の線２０Ａ−２０Ａに沿って取られた図２０の実施形態の断面図である。
【図２１】ホーム位置へのパネルの回転を完了させる展開後の緩められたリフトアーム及び完全に上昇させられたパネルを示す図１９の実施形態の頂面図である。
【図２１Ａ】ホーム位置へのパネルの回転を完了させる展開後の緩められたリフトアーム及び完全に上昇させられたパネルを示す図２１の線２１Ａ−２１Ａに沿って取られた図１９の実施形態の断面図である。
【図２２】図５のパネルアセンブリ及び図１のクレードル支持体の変形の頂面図である（パネルはホーム位置において上昇させられて示されている）。
【図２２Ａ】図５のパネルアセンブリのビーム部分の端の変形を示す図２２の線２２Ａ−２２Ａに沿って見られる断面図である。
【図２３】図５のパネルアセンブリ及び図１のクレードル支持体の変形の頂面図である（パネルはホーム位置において上昇させられて示されている）。
【図２３Ａ】図５のパネルアセンブリのビーム部分の端の変形を示す図２３の線２３Ａ−２３Ａに沿って見られる断面図である。
【図２４】図２３Ａにおいて断面で描写する変形の斜視図である。
【図２５】図１〜図４の実施形態の支持体のクレードル変形の正面図である。
【図２６】図２３に描写するクレードル変形の斜視図である。
【図２７】図２３に描写するクレードル変形の側面図である。
【図２８】図２３に描写するクレードル変形の頂面図である。
【図２９】図５の変形アセンブリの切頭部を支持する図２５〜図２８のクレードル支持体変形を示す図５のパネルアセンブリ変形の切欠き等角図である。
【図３０】図２５〜図２８のクレードル変形支持体内の所定の場所にある図２３Ａ及び図２４の変形を示す頂面図である。
【図３１】変形パネルアセンブリが図２５〜図２８のクレードル内の所定の場所に下降させられ、図３５〜図３７に描写する下方支持体内に下降させられるときの、図５の変形パネルアセンブリの位置を示す、幾つかの構成要素が取り外された状態の実施形態の斜視底面図である。
【図３２】図５の変形アセンブリ用の下方コネクタ板の正面図である。
【図３３】図３２のコネクタ板の側面図である。
【図３４】図３２のコネクタ板の斜視図である。
【図３５】図５の変形アセンブリ用のアンカバーの正面図である。
【図３６】図３５のアンカバーの側面図である。
【図３７】図３５のアンカバーの斜視図である。
【図３８】図３５〜図３７に描写する下方アンカ支持体内の所定の場所に固定された、図２５〜図２８のクレードル内の所定の場所にある、図２５の変形アセンブリの位置を示す、幾つかの構成要素が取り外された状態の斜視底面図である。
【図３９】図３５〜図３７に描写する下方アンカ支持体内の所定の場所に固定された図３２〜図３４のコネクタ板の頂面図である。
【図４０】図１０Ａのパネルの頂面図である。
【図４１】図４０の線４０−４０に沿って取られた図４０のパネルの断面図である。
【図４２】図４０に「４２」によって示す領域の拡大図である。
【図４３】上昇させられた位置及び部分的に下降させられた位置において破線によって並びに完全に下降させられた位置において実線によってプラグアセンブリの位置を示す図４０のパネルの側面図である。
【図４４】図４０のパネルのプラグアセンブリ部の等角図である。
【図４５】図４４のプラグアセンブリの頂面図である。
【図４５Ａ】図４５の線４５Ａ−４５Ａに沿って取られた図４４のプラグアセンブリの断面図である。
【図４５Ｂ】図４５Ａの断面図により良く見られる図４４のプラグアセンブリの頂板構成要素の頂面図及び側面図である。
【図４５Ｃ】図４５Ａの断面図により良く見られる図４４のプラグアセンブリの底板構成要素の頂面図及び側面図である。
【図４５Ｄ】図４５Ａの断面により良く見られる図４４のプラグアセンブリの凹面の封止ガスケットの頂面図及び側面図である。
【図４６】図４５の頂面図及び図４５Ａの断面にも見られるプラグアセンブリのプラグアームの頂面図及び側面図である。
【図４７】パネル上の所定の場所にあるプラグアセンブリの変形の断面図である。
【図４８】図４７のプラグアセンブリのプラグアーム部分の断面図である。
【図４９Ａ】本発明の実施形態の構成要素を手動で上昇させるツールの側面図である。
【図４９Ｂ】本発明の実施形態の構成要素を手動で上昇させるツールの正面図である。
【図４９Ｃ】本発明の実施形態の構成要素を手動で上昇させるツールの斜視図である。
【図５０】通路閉鎖位置に展開されたパネルを示す四辺形支持体内に受け入れられた単一のパネルアセンブリの頂面図である。
【図５０Ａ】図５０の線５０Ａ−５０Ａに沿って取られた図４０の実施形態の断面図である。
【図５１】ホーム位置まで完全に上昇させられたパネルを示す四辺形支持体内に受け入れられた単一のパネルアセンブリの頂面図である。
【図５１Ａ】図５１の線５１Ａ−５１Ａに沿って取られた図５１の実施形態の断面図である。
【発明を実施するための形態】
【０００９】
この発明によれば、大気開口(atmospheric  opening)と地下換気ダクト(underground  ventilation  duct)との間で既に流体連通している換気シャフト(ventilation  shaft)内への据付けのための装置が、洪水の恐れがないときに換気を可能にし、洪水の恐れがあるときに大気開口からの換気を閉じるよう手動で作動可能であり、大気開口に進入する地表水(surface  water)の地下換気ダクト内への下向きの流れを防止する。
【００１０】
本明細書に記載するそのような装置の例示的な実施形態において具現される着想は、豪雨によるものであろうと、ハリケーン又は熱帯性暴風雨又はその他のものによって推進される高潮によるものであろうと、大気開口が、地下室又はトンネル又は換気を必要とする他の地下構造のための換気ダクトと連通し、その開口を通して実質的な量の水が入ることができる、任意のシステムに用途を有する。
【００１１】
以下の本発明の例示的な実施形態の記述では、本明細書の一部分を形成し、本発明が実施されることがある特定の実施形態を例示として示す、添付の図面を参照する。本明細書に開示する特定の詳細は、あらゆる場合において、本発明の着想が実施されることがある具体的な方法を表す非限定的な実施形態である。これはそれらの着想と一致する事実上あらゆる適切に詳細なシステム、構造又は方法において本発明を利用することを当業者に教えるのに役立つ。特定の記載する実施形態及びそれらの実施形態の詳細に対する様々な変更及び代替が本発明の範囲内で行われてよいことが分かるであろう。多くの様々な異なる実施形態が本明細書に記載する発明的な着想の範囲内で並びに本明細書に詳述する特定の実施形態内で行われてよいので、本明細書中の詳細は例示として解釈されるべきであり、限定として解釈されるべきでないことが理解されるべきである。
【００１２】
実施形態の詳細な記述において使用される「上方(upper)」、「下方(lower)」、「底(bottom)」、「頂(top)」、「横(transverse)」、「垂直(perpendicular)」、「鉛直(vertical)」、「水平(horizontal)」などのような様々な方向は、図面と共により簡単な説明に関して行われるに過ぎない。構成要素（コンポーネント）は、本発明の着想を具現する本明細書中に詳述される実施形態と同じ機能を実行して同じ結果を達成しながら異なって方向付けられてよく、そのような用語は、実施形態が例示する着想を限定するものとして理解されてならない。
【００１３】
「垂直」という用語は、絶対的ではないにしても、直角が垂直として記載される要素の配置及び機能に著しく悪影響を及ぼさない程度まで、ある基準に対して実質的に直角であることを意味する。「鉛直」又は「鉛直に」という用語は、文字通りの垂直を含むが、それに限定されず、一般的には、絶対的ではないにしても、鉛直が鉛直として記載される要素の機能に著しく悪影響を及ぼさない程度まで、地平線に対して上下に向けられることを意味する。同様に、「水平」又は「水平に」という用語は、文字通りの水平を含むが、それに限定されず、一般的には、水平として記載される要素の機能に著しく悪影響を及ぼす程度まで地平線に対して水平から外れないことを意味する。
【００１４】
本明細書で使用するとき、請求項及び／又は明細書中の「含む」（又は同義の「有する」又は「含む」）という用語と共に使用されるときの単数形の使用は、「１つ」を意味することがあるが、それは「1以上（１つ又はそれよりも多く）」、「少なくとも1つ」、「1つ又は１よりも多く」とも一致する。加えて、本明細書で使用するとき、「〜に接続される」という語句は、直接的であろうが中間の構成要素を通じてであろうが、接合されるか或いは連通して配置されることを意味する。
【００１５】
記載する同じ実施形態の構成要素について、幾つかの場合、最初に述べる構成要素は、所与の参照番号によって特定され、第２のそのような構成要素は、アポストロフィで印された同じ参照番号であり、例えば、「パネルハンドル２５９」は、第１の既述の構成要素を特定し、第２のそのような同様の構成要素は、「パネルハンドル２５９’」として特定される。例えば、「パネルハンドル２５９，２５９’」のように、分離された２つの参照番号をコンマによって結合することは、両方が共に記載されていることを文脈が意味しない限り、「パネルハンドル２５９」又は「パネルハンドル２５９’」のいずれかの構成要素が記載されていることを意味する。
【００１６】
換気ダクト内への水の進入を阻止するための本明細書に開示する着想の適用の例示的な目的のために、特定の換気環境を参照して具現された着想を記載する。例示的な適用は、地下鉄システム用である。例として本明細書に記載する特定の実施形態では、氾濫した水が入る大気開口は、少なくともNew  York  Cityでは典型的には長方形である地下鉄換気システム用の格子被覆グレードレベルの歩道開口に関して、直線形状を有すると仮定する。特定の実施形態の詳細な記述は、特定の環境についての直線形状に関するものであるが、本発明は、開口が直線状であること又は本発明の実施形態が直線形状に適合すること又は大気開口がグレードレベルにあることを必要としない。本発明の要素を、直線形状であろうが、円形又は楕円形であろうが、或いは何らかの他の形状であろうが、あらゆる地下トンネル、室、部屋又は他の地下構造に役立つ、あらゆる換気シャフト表面開口の下向きに垂直に突出する寸法内に適合するように構成することができる。
【００１７】
以下の例示的な実施形態の記述において、通路閉鎖位置は、実施形態のパネル又は複数のパネルが水平である位置である。本発明の着想は、この配置に限定されない。パネルが下降するのを止める制約又は停止は、水平面より上方への下向きの移動を止めながらも、通気通路を閉じるように、位置付けられてよい。記載する実施形態は、本発明の着想が実施されることがある例の非限定的な例示である。
【００１８】
本発明の例示的実施形態は、換気シャフト手動閉鎖アセンブリ(ventilation  shaft  manual  closure  assembly)を含む。例示的なアセンブリの実施形態のための支持体は、垂直換気シャフト内で換気シャフトを通じてシャフトの大気開口に流体連通する地下換気ダクトに配置するための対向する横方向側壁を含む。大気開口は円筒形であってよく、支持体は円筒形であってよい。大気開口は直線的であってよく、支持体は、四辺形であってよい。上述のように、例示的な実施形態において、大気開口は直線的である。
【００１９】
横方向側壁を含む支持体は、換気ダクトと大気開口との間で垂直シャフト内に内部嵌合するような大きさにされる。ある実施形態において、支持体は、シャフト内で支持体を吊り下げるためにシャフトの頂部を横断する突起のために側壁に対して横方向の水平フランジを有する。支持体は、支持体を通じて大気開口に至る換気ダクトを流体連通のために、支持体の上部開口と底部開口との間に通路を定める。
【００２０】
例示的な実施形態では、洪水の恐れがないときに通常通り換気を可能にするよう、地下換気ダクトを換気シャフトの大気開口と流体連通させる換気通路を塞がない直立ホーム位置（直立定位置）に取り付けられた、１以上の下向きに回転可能なパネルが使用されてよい。１つの例示的な実施形態では、単一のパネルが、ホーム位置において、そのような通路の側面に取り付けられて、ホーム位置から通路全体に亘る通路閉鎖位置まで単独で重力により降下して、地下換気ダクトを洪水から保護する。他の例示的な実施形態では、一対のパネルが、通路の両側に取り付けられて、ホーム位置から下方に互いに向かって通路閉鎖位置まで重力により落下して、一緒に通路を閉じる。更に他の例示的な実施形態では、一対のパネルが、ホーム位置から下方通路閉鎖位置への互いに反対方向におけるパネルの回転のために、通路内で中央に取り付けられる。対にされるパネルの利点は、それらが、単一のより高いパネルを閉じるのに実現可能であるよりも広い通路を閉じるために使用される場合があることである。
【００２１】
手動閉鎖アセンブリは、近位端及び遠位端、頂面及び底面を有する、１以上のパネルを含む。近位端は、通路を塞がない直立ホーム位置への上向きのパネルの手動回転及び下方通路閉鎖位置に達するような専らその自重の重力の推進力(impetus)によるホーム位置からの下向きの回転のために、対向する横方向側壁に対して垂直な軸を有する水平ヒンジと接続する。１以上のパネルは、各パネルが重力により通路閉鎖位置まで回転するときに通路を閉鎖する、プロファイルを有する。
【００２２】
例示的な実施形態において、各パネルを直立ホーム位置に保持するパネルホルダは、懸架部材より下方で懸架部材によって又はパネルによって支持される可動部材と、可動部材を支持しない懸架部材又はパネルの他方によって支持される非可動部材とを含み、可動部材は、パネルがホーム位置まで上向きに回転させられるときに非可動部材を捕捉して保持する。実施形態は、更に、懸架部材によって支持された可動又は非可動パネルホルダ部材に接続されたリンケージ（リンク機構）を更に含み、リンケージは、懸架部材に対して垂直に移動可能であることで、可動部材又は非可動部材を並進させて、それにパネルを直立ホーム位置から解放させ、パネルが下方通路閉鎖位置まで重力により回転的に落下することを可能にする。例示的な実施形態において、パネルホルダの非可動部材は、ラッチキャッチを含み、パネルホルダの可動部材は、ラッチキャッチと係合可能なラッチを含む。
【００２３】
少なくとも１つの抑制体(restraint)が、下方通路閉鎖位置への各パネルの下向きの回転を制限する。抑制体は、一端で（次に述べる）懸架部材(suspension  member)の上方部分に固定され、他端でパネルの頂面に締結される、１以上の折畳み可能な又はフレキシブルな（可撓な）部材であってよく、或いは、抑制体は、通路(passage)を塞がず、底部開口に近接して支持体内に配置され且つ支持体に接続される、１以上のストッパ(stops)を含んでよい。
【００２４】
例示的な実施形態において、隣接する側壁は、第１の曲率半径を有する丸みのある隅部を有するベースを含み、パネルの遠位部分は、パネルの遠位部分が通路閉鎖位置まで回転するときに掃引する(sweep)側壁の隅部の曲率半径と実質的に同じ曲率半径を備える丸みのある隅部を有する。ある例示的な実施形態において、パネルは、通路閉鎖位置において通路を封止するシールを含む。
【００２５】
例示的な実施形態では、１以上のパネルを通路閉鎖位置からホーム位置に向かって手動で回転的に上昇させるために１以上のパネルの頂面にあるパネルハンドルと、各パネルのためのリフトアームとを含む、パネルを手動でホーム位置まで回転させる手段が提供され、各リフトアームは、ピボットピンによってヒンジ軸と平行なピボット軸上でパネルの底面に枢動的に接続される近位端と、末端の丸み、適切にはホイールを任意的に含む、遠位端とを有する。各リフトアームは、ホーム位置へのパネルの回転を完了させるよう、パネルハンドルで上昇させられている接続されたパネルに横方向の力を加えるために、遠位端が側壁の内側で上向きに枢動させられるときに、各リフトアームが末端の丸みを対向する横方向側壁のうちのいつと接触することを可能にする寸法を有する。
【００２６】
例示的な実施形態において、リフトアームは、遠位端を回転的に外向きに及び上向きに押し付けるようバネ付勢される。ある例示的な実施形態では、バネが、リフトアームピボットピンの周りに中心的に巻き付けられる。バネは、対向する第１及び第２の端で終端し、近位シャンクを含む直線部分と、シャンクに対して直角に曲げられた遠位部分とを含む。第１の端の遠位部分は、ピボットピンに近接してリフトアームの下面を横断して係合的に延び、第２の端の遠位部分は、第１の端の遠位部分よりもピボットピンから遠いリフトアームの頂面を横断して係合的に延びる。
【００２７】
例示的な実施形態では、解放可能なステー(stay)が、各ピボットアームのために設けられる。リフトアームピボットピンに隣接するステーピボットピンが、各ステーの上方端に枢動的に接続する。ステーの下方端は、隣接するリフトアームに向かって外向きに曲がって(angling)、リフトアームの頂面の近位部分を横断して延び且つそのような近位部分と解放可能に接触する。バネ付勢は、リフトアームをステーに対して押し付けて、リフトアームが外向き及び上向きに回転するのを抑制する。
【００２８】
ステーは、大気開口から垂直に下降されるリーチツールによって解放可能であることで、リフトアームのバネ付勢された遠位端が、大気開口から垂直に下降されるリーチツールによる捕捉のために横方向に外向きに回転することを可能にする。
【００２９】
例示的な実施形態において、各リフトアームは、アームの遠位端が側壁上で上向きに移動するように、ステー解放されたリフトアームと係合して枢動的に上向きに引くよう大気開口から垂直に下降されたリーチツールによる係合のための、アームの底部分にある構成を有する。ある例示的な実施形態において、遠位端は丸く、任意的に、ホイールである。
【００３０】
懸架部材は、支持体頂部開口に近接して通路を塞がないよう水平に架かり、１以上のヒンジ接続されたパネルを通路内に保持する。懸架部材は、支持体頂部開口及び底部開口に近接して対向する横方向側壁上で支持される。懸架部材は、懸架部材を保持して対向する横方向側壁上の支持体に垂直に出し入れするために、懸架部材に接続された少なくとも１つのハンドルを有する。懸架部材は、水平ヒンジと水平ヒンジに接続されるパネルとを保持する単一の一体的に垂直に延びる部材を含んでよく、或いは、水平ヒンジと水平ヒンジに接続されるパネルとを保持する垂直に吊り下げられたストラップを有するビームを含んでよい。
【００３１】
ある例示的な実施形態において、水平ヒンジは、懸架部材によって保持されたヒンジ取付け部材と、ヒンジ取付け部材に取り付けられた複数のヒンジ部材とを含む。ある例示的な実施形態において、各ヒンジ部材は、静止部材と、可動部材、静止部材と可動部材とを相互接続するヒンジピンとを含み、静止部材は、ヒンジ取付け部材に接続し、可動ヒンジ部材は、パネルの近位端に接続する。水平ヒンジは、ピアノヒンジ(piano  hinge)と呼ばれることもある連続ヒンジ、又は２つのリンクされたパネルを接続する並びにパネルがその上で上昇及び下降させることがある可動ジョイントを含む任意の他のヒンジを含んでもよい。
【００３２】
ある例示的な実施形態において、懸架部材は、対向する横方向側壁の間に中心的に持ち上げて取り外し可能に支持され、直立ホーム位置からの又は直立ホーム位置への互いに反対方向における回転のために換気通路内に一対のパネルを懸架する。ある例示的な実施形態において、大気開口は直線的であり、支持体は四辺形であり、対向する側壁は、それぞれ、シャフトの頂部開口に隣接する換気通路内に中心的に取り付けられ、クレードルが、そのような垂直アーム内及び水平バー上でビームを持ち上げて取り外し可能に受け入れ且つ支持するために水平バーに接続され且つ水平バーで直立する一対の離間した平行な垂直アームを有する。
【００３３】
ある例示的な実施形態では、四辺形支持体は、パネル上の構造がインジケータより下方に配置される場所を示すよう、対向する横方向側壁に隣接して少なくとも１つの側壁上に少なくとも１つのインジケータを有する。そのような実施形態において、懸架部材は、両端を有し、両端の各々は、懸架部材の側面を越えて横方向に延びるキーを支え、各クレードルは、クレードルの１つのアーム内でのみキー(key)を受けるようにキー付けられる(keyed)ので、その構造を有するパネルは、インジケータより下方に配置される。
【００３４】
そのような懸架支持クレードルを利用する例示的な実施形態において、そのような中心的に支持される懸架部材は、水平ヒンジと水平ヒンジで接続されるパネルを保持する垂直に吊り下げられたストラップを有するビームを含んでよい。そのようなビームは、両端と、ビーム両端間の側面と、各ビーム端に取り付けられる四辺形ビーム端板とを有する。各ビーム端板は、ビーム両端の側面を越えて横方向に延びる側面を有する。クレードルは、それぞれ、垂直アームの垂直な相互に垂直な突起間に垂直の直角の夾角(included  right  angle)を含み、各垂直アームの一方の突起は、対向する側壁の一方に附着する。各垂直アームの他方の突起は、そのような一方の側壁に取り付けらない。そのような取り付けられない突起及び垂直アームの直角の夾角は互いに面し合う。取り付けられた突起は、一対の垂直アーム内でビーム端板を垂直に受けるために十分に離間させられる。そのようなクレードル及びビーム端板を有する例示的な実施形態において、各ビーム端板の側面の一方の側は、そのようなビーム端板の他方の側面よりも横方向に更に延び、クレードルの１つの垂直アームの１つの取り付けられない突起は、そのビーム端板の他の側面よりも更に延びるビーム端板の側面を受け入れ、それにより、一対の垂直アーム内にビーム端板を受け入れるために、そのクレードルの他の垂直アームの取り付けられていない突起よりも長い長さを有する。
【００３５】
ある例示的実施形態において、四辺形支持体は、対向する横方向側壁に隣接して少なくとも１つの側壁上に少なくとも１つのインジケータを有する。インジケータは、パネル上の特定の構造がインジケータより下方に配置されるべきことを示す。ビーム端板のより長い側及び端板のより長い側のみを受け入れる垂直アームのより長い挿入部は、ビームが、パネルが通路閉鎖位置にあるときにその構造を有する特定のパネルをインジケータより下方に配置する向きにおいてのみ、クレードル内に水平に配置されることを可能にする。
【００３６】
ビーム支持体クレードルが、ビームが１つの水平の向きにのみ位置付けられることを可能にする例示的な実施形態において、ヒンジ取付け部材は、両端と、ヒンジ取付け部材両端の間の側面と、各ヒンジ取付け部材端に取り付けられる四辺形のヒンジ取付け部材端板とを有する。ヒンジ取付け部材端板は、それぞれ、ヒンジ取付け部材両端の側面を越えて横方向に延びる側面を有する。対向する側壁は、それぞれ、一対の離間した水平なアンカバーを、底部開口に隣接してクレードルより下方で通路内に中心的に取り付ける。各アンカバーは、等しくない長さの相互に垂直な水平突起の間に直角の夾角を含み、各アンカバーのより短い突起は、対向する側壁の一方に取り付けられ、そのアンカバーのより長い突起は、その一方の側壁に取り付けられない。感化バーの直角の夾角及び取り付けられない突起は、互いに面し合う。取り付けられる突起は、一対のアンカバー内にヒンジ取付け部材端板を垂直に受けるよう十分に離間する。よって、四辺形の支持体が、対向する側壁に隣接して少なくとも１つの壁に少なくとも１つのインジケータを有して、パネル上の構造がインジケータより下方に配置されることを示す場合、ビーム端板、クレードル垂直アーム、ヒンジ取付け部材端板及びアンカバーは、ビーム及びビームから吊り下げられるヒンジ取付け部材の配置を協働して方向付ける(orient)ので、その構造を有するパネルは、パネルが通路閉鎖位置にあるときに、インジケータより下方に配置される。
【００３７】
ある例示的な実施形態では、ドレインが、１以上のパネルのうちの少なくとも１つのパネルの近位端と遠位端との中間で、１以上のパネルのうちの少なくとも１つのパネルに設けられる。ドレインは、パネルを通じる中空管のような導管を含む。導管は、パネル頂面に開口を有する。ドレインは、自己作動ドレイン閉鎖装置を含む。閉鎖装置は、ドレイン管とドレインを有するパネルの遠位端との間に位置付けられるドレインプラグ軸上で回転可能に枢動するプラグを含む。ドレインプラグ軸は、パネルの水平なヒンジ軸と平行である。プラグは、１以上のパネルが通路閉鎖位置にあるときに、プラグをドレイン開口から取り外して、１以上のパネルより上方に収容される水を排水するために、ドレインプラグ軸上で上向きに手動で枢動可能である。ドレインを含むパネルがホーム位置まで上向きに上昇させられるときに、プラグはその自重の重力による推進力によって自動的に下向きに枢動して、プラグを導管開口内に配置する。その場合、パネルが重力により下向きに回転して通路閉鎖位置に至るとき、ドレイン開口は既に閉鎖している。
【００３８】
例示的な実施形態において、自己作動ドレイン閉鎖プラグは、プラグを含むパネルが通路閉鎖位置にあるときのプラグ外周と導管開口との間の如何なる空間をも封止するよう、プラグ外周の周りに上向きに凹面の封止ガスケットを含む。
【００３９】
例示的な実施形態では、自己作動ドレイン閉鎖装置を含むパネルが、ドレインと各パネルの遠位端との間でパネルの頂面に固定的に取り付けられる離間したポストを有する。ドレインプラグ軸は、パネル頂面より上方で水平ヒンジ軸と平行にポストによって支持されるポスト間に架かるロッドを含む。ドレイン閉鎖装置は、上昇させられたドレイン開放位置及び下降させられたドレイン閉鎖位置へのアームの移動のためにロッドと共に又はまたはロッド上でアームの近位端で枢動的に回転可能なプラグアームを含む。ロッドは、プラグアームがロッド上で回転する状態でポストに固定されてよく、或いは、プラグアームは、ロッドがポスト内で回転する状態でピボット軸ロッドに固定されてよい。プラグアームは、プラグアームの重心をロッドから遠隔に配置するよう重み付けされる。プラグアームは、ロッドから遠隔の取付け突起と、上向きに凹面の封止ガスケットと、頂板と、底板とを含む。頂板及び底板は、両方とも、ガスケットよりも大きさが小さい。凹面の封止ガスケットは、頂板と底板との間に固定され、少なくとも底板は、導管開口に入り且つ塞ぐように構成された大きさを有する。頂板及び底板は、底板より上方に延びる外側の上向きに凹面のガスケット部分を露出させる。頂板及び底板は、取付け突起でアームに固定的に接続されて、ドレインの方向においてロッドのピボット軸を越えて遠隔にアームの重心を配置するので、パネルが通路閉鎖位置にある間に、プラグアームをドレイン開口から上昇させて、パネルより上方の水を空にした後、パネルを上向きにホーム位置まで回転することは、プラグアームを、専ら上昇させられたプラグアームの重心に作用する重力の故に、パネルを排水するために上昇させられた位置からパネルと平行な位置まで自動的に下向きに回転させて、少なくとも底板をドレイン導管開口内に配置して開口を閉じ、外側の上向きに凹面のガスケット部分は、頂板及び底板と開口との間の空間を封止する。例示的な実施形態において、プラグアームは、アームを持ち上げるリーチツールによるアームの捕捉のために、ロッドから遠位のアームの下面にレリーフを含む。
【００４０】
ここで図面を参照すると、これらの図面は、換気シャフト(ventilation  shaft)を通じて換気シャフトの直線的な大気開口に流体連通する地下換気ダクト内への地表水(surface  water)の下向きの流れを阻止する装置の例示的な実施形態を示している。図１〜図３９は、一対のパネルを有する例示的な実施形態を示している。図５０〜図５１Ａは、単一のパネルを有する例示的な実施形態を示している。先ず、図４、図５及び図５Ａを参照すると、例示的な実施形態は、側壁２２４（２２４ａ，２２４ｂ，２２４ｃ，２２４ｄ）を含む四辺形の(quadrilateral)又は四辺付きの(four-sided)のボックス２１０(箱)(box)で具現された支持体(support)を含み、側壁２２４は、側壁の上方限界(upper  extent)に、ボックス２１０を通じて上方への頂部開口２２６より上方の大気開口への換気ダクトの流体連通のために、ボックス２１０の頂部開口２２６と底部開口２２８との間に通路２２５を定めるよう、シャフト内で垂直にボックス２１０を懸架するための換気シャフトの壁の頂部の上への広がりのために側壁２２４に対して横方向のフランジ２２０（２２０ａ，２２０ｂ，２２０ｃ，２２０ｄ）を有する。クレードル２１１ａ，２１１ｃが、それぞれ、対向する側壁２２４ａ及び２２４ｃの上方側に形成される。図示の装置は、装置を換気シャフト内に下降させてシャフトの壁に位置付けることによって、暴風雨水(storm  water)から通気通路を封止する溶液(solution)中の降下物(drop)として適する。適所で、格子（図示せず）が頂部開口２２６を覆う。通常の操作において、ボックス２１０の内部への操作者アクセスは、格子を通じてである。
【００４１】
本明細書に記載するような実施形態は、四辺形のボックス支持体２１０を利用するが、幾つかの場所は、支持体の底部開口に近接してストッパ２３０(stops)も有する中空シリンダの形状の支持体の使用を可能にすることがあり、この形態は本発明の範囲内で想定されている。
【００４２】
ボックス２１０内の隅部ブレース(corner  braces)(隅部補強材)の形態のストッパ２３０ａ，２３０ｂ，２３０ｃ，２３０ｄは、底部開口２２８に近接して側壁２２４内にあり且つ側壁２２４に接続されており、通路２２５を塞がない。隣接する側壁は、それぞれのストッパ２３０ａ，２３０ｄの上に丸みのある隅部２２７ａ，２２７ｄを有するベース２２８と、それぞれのストッパ２３０ｂ，２３０ｃの上に丸みのある隅部２２９ｂ、２２９ｃを有するベース２２９とを含む。丸みのある隅部２２７ａ，２２７ｄ及び２２９ｂ，２２９ｃは、丸い隅部曲率半径を有する。
【００４３】
ここで図３及び図４を参照すると、押し出された管組織(tubing)を含むビーム２４２が、通路２２５を塞がないよう横断して水平に架かり(spans)、頂部開口２２６に近接してボックス２１０の対向する側壁２２４ａ，２２４ｃに接続する。ビーム２４２は、クレードル２１１ａ，２１１ｃ内に収容され(lodged)、操作者がビーム折畳み可能なハンドル２１２ａ，２１２ｃを保持することによって、溝２１１ａ，２１１ｃ(channels)内に便利に下降させられる。以下に記載するビーム２４２及びストラップ２４４は、以下に記載する機器のための懸架部材(suspension  member)を含む。ボックス２１０がフランジ２２０上に位置する換気シャフト内に設置された後、ビーム２４２及びその取付け機器を、完全に組み立てられたユニット２０１として所定の場所に下降させることができる。ハンドル２１２ａ，２１２ｃを用いて溝２１１ａ，２１１ｃからビーム２４２を引き抜くことによって、この組み立てられたユニット２０１を保守(servicing)のためにボックス２１０から取り外すことができる。
【００４４】
記載したような実施形態は、以下に記載する機器を支持するためのビーム２４２とストラップ２４４とを含む懸架部材を利用するが、本発明の範囲は、そのような実施形態に限定されない。ビーム２４２及びストラップ２４４以外の懸架部材が使用されてよく、例えば、懸架部材は、ビーム２４２及びストラップ２４４と同様にヒンジ付きパネルを吊り下げる単一の一体的に垂直に延びる中実の(solid)又は有窓の板(fenestrated  plate)であることができる。記載するビーム２４２及びストラップ２４４の利点は、中実の板よりもフランジ２２０により少ない荷重を課すより軽い重量であるが、有窓の板も、高価な要素であると思われるが、同様により軽い荷重の利点に資するであろう。
【００４５】
特に図１１を参照すると、ヒンジ取付け部材２４５が、複数のストラップ２４４ａ，２４４ｂ，２４４ｃ，２４４ｄによってビーム２４２に接続されるビーム２４２と同様に、通路２２５を塞がないよう横断して水平に架かっている。クレードル２１１ａ，２１１ｃ内に収容され、側壁２２４ａ，２２４ｃの間に亘るヒンジ取付け部材２４５は、ビーム２４２がヒンジ取付け部材２４５の直ぐ上にある状態で、ボックス２１０の通路２２５で中心付けられる。ヒンジ取付け部材２４５は、複数のヒンジ部材２４３を取り付けて支持する。ヒンジ部材２４３は、それぞれ、静止部材２４３ｂと、可動部材２４３ａと、静止部材２４３ｂと可動部材２４３ａとを相互接続するヒンジピン２４３ｃとを含む。静止部材２４３ｂは、ヒンジ取付け部材２４５に接続する。
【００４６】
各々が近位部分及び遠位部分２３４ａ，２３４ｂ及び２３６ａ，２３６ｂをそれぞれ有する、一対の対向するパネル２３４，２３６が、近位部分２３４ａ，２３６ｂで、可動ヒンジ部材２４３ａによって、静止ヒンジ部材２４３ｂに接続され、それにより、ヒンジ取付け部材２４５に接続され、ヒンジ取付け部材２４５からストラップ２４４ａ，２４４ｂ，２４４ｃ，２４４ｄを介してビーム２４２に接続される。ヒンジピン２４３ｃ上でのパネル２３４，２３６の近位部分２３４ａ，２３６ａへの可動ヒンジ部材２４３ａの接続は、パネル２４，２３６の垂直回転のためのパネル２３４，２３６のそれぞれのピボット軸を形成する。パネル２３４、２３６は、ビーム２４２の下に押し込まれた(tucked)直立ホーム位置から又はホーム位置に互いに反対方向に回転する。ホーム位置へのパネルの上向きの（一方は時計回り、他方は反時計回り）の回転は、以下に更に記載するように、手動でもたらされる。ビーム２４２の下に押し込まれたパネルのホーム位置は、通路２２５を閉塞しない。回転しているパネル２３４，２３６は、直立ホーム位置から、更なる回転がストッパ２３０ａ，２３０ｂ，２３０ｃ，２３０ｄによって防止される（参照番号２１５によって概ね示す）下方通路閉鎖位置まで、専らそれらの自重の重力の推進力の下で落ちる。各パネルは、パネルが重力によって通路閉鎖位置まで回転するときに通路を閉鎖するプロファイルを有する。
【００４７】
図２Ａ〜図３Ｂを参照すると、パネル２３４、２３６は、頂面板２３８と、底面２３２とを有する。底面２３２は、剛性のために内部横ブレース２３７，２３９(内部横補強材)(internal  cross  braces)と交差させられている。パネルの遠位部分は、パネルの遠位部分が通路閉鎖位置まで回転するときに掃引する側壁隅部２２９ａ，２２９ｂ，２２９ｃ，２２９ｄの曲率半径と実質的に同じ曲率半径を備える丸みのある隅部２１９を有する。パネルは、通路閉鎖位置において通路を封止するための周辺遠位及び横方向シール２２１，２２２、パネル２３４用のシール２２１ａ，２２２ａ及びパネル２３６用のシール２２１ｂ，２２２ｂを含む。ガスケットシール（パネル２３４用の２２３ａ，パネル２３６用の２２３ｂ）が、ピン２４３ｃより下でパネル２３４，２３６のベースの近位端に亘り、パネルが通路閉鎖位置にあるときに、パネル２３４，２３６の近位端で底部開口２２８を封止する。パネル２３６のようなパネルの少なくとも１つは、図２Ａ及び図２Ｂに示すように、パネルの近位端及び遠位端の中間にドレイン２７０(排水路)(drain)を備えてよい。
【００４８】
図１２Ａ〜図１３Ａに示す実施形態において、各パネル２３４，２３６の頂面２３８は、凹部２３３又は２３３’を含む。図５〜図７を参照すると、凹部は、パネル２３４用のパネルホルダラッチキャッチ２３５及びパネル２３６用のパネルホルダラッチキャッチ２３５’を含む（ラッチキャッチ２３５’は、図１２Ａでは見えないよう遮蔽されているが、ラッチキャッチ２３５と同じであり、同様に動作すると理解されよう）。パネル２３４用のパネルホルダ２４０ラッチ２４７及びパネル２３６用のパネルホルダ２４０ラッチ２４９（ラッチ２４９は、図６では見えないように遮蔽されているが、ラッチ２４７と同じであり、同様に動作すると理解されよう）。ラッチ２４７，２４９を含むパネルホルダ２４０は、懸架部材２４２によって支持されている。ラッチ２４７，２４９は、ラッチの近位端で、水平軸２５４上で垂直に枢動する。ラッチ軸２５４は、ヒンジ取付け部材２４５の両側に平行なピン２４３ｃのパネル軸と平行である。各パネルホルダラッチ２４７，２４９は、差込みノッチ２５１，２５１’で終了する傾斜面を有する下方戻り部(inferior  return)まで遠位にラッチ軸２５４から外部に枢動的に延びる。パネル２３４，２３６が垂直に上向きに回転させられるときに、差込みノッチ２５１，２５１’がラッチキャッチエッジ２３５，２３５’を通り過ぎてラッチ２４７，２４９’を捕捉するまで、ラッチ２４７，２４９の下方戻り部がパネルによって支持されるランプ２４１，２４１及びランプ２４１，２４１’上のラッチスライドの傾斜面と摺動接触させられるよう、凹部２３３，２３３’及びラッチ２４７，２４９は、互いに水平に及び垂直に整列させられる。この捕捉は、パネル２３４，２３６をホーム位置２１３に保持する。
【００４９】
パネルホルダ２４０は、パネルホルダ２４０に接続されるロッド２４６によって懸架部材２４２から移動可能に懸架される。ロッド２４６は、ストラップ２４４ｂ，２４４ｃの間に締め付けられるブレース２５５を通じて摺動可能に並進可能にビーム２４２を通じて取り付けられ、カバー２５３の下のＴ字ハンドル２５２でビーム２４２より上で終端して、四辺形の支持体２１０を覆う格子を通じる歩行者の視界からＴ字ハンドル２５２を保護する。カバー２５３は、回避しないとしても、装置への不当な改竄及び悪意のある製造業者によるパネルの望ましくない配置を減少させる。
【００５０】
ロッド２４６及びＴ字ハンドル２５２は、パネル解放装置(panel  releaser)を含む。Ｔ字ハンドルは、カバー２５３の下に達するよう格子を覆う支持体２１０の小さな開口を通じて垂直に挿入されることができ且つパネルホルダ２４０を持ち上げるためにＴ字ハンドル２５２を引っ掛ける(hook)ことができるリーチツール(reach  tool)の突起(projection)又はフック(hook)によるような、便利な保持を提供する。Ｔ字ハンドル２５２によってロッド２４６を持ち上げることは、パネルホルダ２４０を上向きに移動させて、可動部材２４７，２４９がキャッチ２４１，２４１’に対するそれらの保持を失うようにさせ、そして、パネル２３４，３６を解放すようにさせ、パネル２３４，２３６が、専らそれらの自重の推進力によって直立ホーム位置２１３から下方通路閉鎖位置２１５まで回転的に重力により落下することを可能にする。
【００５１】
パネル２３４，２３６は、パネルを手動でホーム位置２１３に持ち上げる構造を備える。各パネル２３４，２３６は、パネル２３４，２３６の近位端２３４ａ、２３６ａが接続されるヒンジ部材２４３のピン２４３ｃのピボット軸から離れたその頂面２３８，２３８’に、ハンドル２５９，２５９’を有する。操作者は、引っ掛けツール２９０(hooking  tool)のようなツールを使用し、それをボックス２１０を覆う格子を通じて挿入して、ハンドル２５９，２５９’を掴んで、パネル２３４，２３６を持ち上げることができる。図２０及び図２０Ａは、図１９及び図１９Ａに示す休止位置から部分的に持ち上げられたパネル２３４、２３６を描写している。しかしながら、持ち上げ動作は、支持体２１０を覆う格子内の小さな開口を通じて行われなければならない。開口は小さいだけでなく、深くもあり、動作を垂直方向の操作のみに制限する。よって、ツール２９０を用いてパネル２３４，２３６を持ち上げて、パネルをホーム位置２１３まで完全に上向きに回転させることは、極めて僅かな横方向の力を加えることができるので、ホーム位置に近づくにつれて困難になる。各パネル２３４，２３６は、パネル２３４，２３６を横方向に押してホーム位置２１３への完全な閉鎖を容易にするよう、格子内の小さな開口を通じる直線的な垂直移動操作を可能にする補助機構を備える。
【００５２】
この機械的な補助機構は、パネル２３４のためのリフトアーム２６０と、パネル２３６のためのリフトアーム２６０’とを含む。図１４及び図１４Ａを参照すると、各リフトアーム２６０，２６０’は、パネル２３４，２３６の底面２３２にあるブレース横部材２３９(brace  cross  member)に締め付けられたブラケット２６２，２６２’にピボットピン２６７によって枢動的に接続された近位端２６１，２６１’を有し、各々は、任意的に丸みを含む、垂下遠位端２６３，２６３’を有し、丸みは、この実施形態では、終端ホイール２６４，２６４’であるが、端２６３、２６３’の丸みのある末端であってよい。各リフトアーム２６０，２６０’は、その遠位端２６３，２６３’、この実施形態では、ホイール２６４，２６４’と接触する寸法を有し、対向する横方向側壁２２４ａ，２２４ｂは、遠位端２６３，２６３が支持体ボックス２１０の内側で外向き及び上向きに枢動するとき、ビーム２４２と平行である。
【００５３】
図１６及び図１７を参照すると、リフトアーム２６０，２６０’は、リフトアームピボットピン２６７，２６７'の周りに中心的に巻かれたバネ２５７，２５７’によって示される(expressed)力によって、遠位端２６３、２６３’を回転的に外向き及び上向きに延ばすようバネ付勢され、近位の短い端２５７ａは、リフトアーム２６０，２６０’の上方側(superior  side)に亘って直角に延び、遠位の長い端２５７ｂは、リフトアーム２６０，２６０’の下方側(inferior  side)に亘って直角に延びる。
【００５４】
図１４Ａ、図１５〜図１７、図１９Ａを参照すると、リフトアーム２６０，２６０’は、リフトアーム２６０、２６０’の近位端の枢動的な取付部に隣接してブレース横部材２３９に締め付けられたブラケット２５６，２５６’にピボットピン２６８，２６８’によって上方端で枢動的に接続されたステー２６６，２６６’(支柱)(stays)によってバネ付勢伸長から拘束されている。ステー２６６，２６６’の下方端２６９，２６９’は、リフトアーム２６０，２６０’の近位上方側に亘って延び且つそれと解放可能に接触するよう、リフトアーム２６０，２６０’に向かって外向きに傾斜している。リフトアーム２６０，２６０’のバネ付勢は、リフトアーム２６０，２６０’をステー２６６，２６６’に押し付けて、拘束接触を維持する。ステー２６６，２６６’によって課される拘束は、ビーム及びビームで支持される機器の装着時の降下(drop)中にビーム２４２と平行な横方向側壁２２４ｂ，２２４ｄに干渉的に接触しないよう、ビーム２４２及びストラップ２４４ａ〜２４４ｄによってビーム２４２から懸架される機器が、内向きに押し込まれた付勢されたリフトアーム２６０，２６０を備えるボックス２１０のクレードル２１１ａ，２１１ｃによる支持のためにボックス２１０内に下降させられることを可能にする。
【００５５】
格子の小さな開口を通じて垂直に下降させられる引っ掛けツール２９０のようなリーチツールを使用して、ステー２６６，２６６’の下方端２６９，２６９’をリフトアーム２６０，２６０’から滑り出させて、バネ付勢リフトアーム２６０，２６０’がバネ２５７によって表される力の下で外向き及び上向きに延びるのを可能にすることができる。図１８を参照。
【００５６】
各リフトアーム２６０，２６０’は、格子の小さな開口を通じてボックス支持体２１０内に下降させられる第２の引っ掛けリーチツール２９０のフック２９１による係合のために、レリーフスロット２６５，２６５’(relief  slot)のような、アームの下方部分にある構成を有する。パネル２３４，２３６がツール２９０のような第１の引っ掛けツールによって部分的に上昇させられ、リフトアーム２６０，２６０’がステー２６６，２６６’から解放された、図２０〜２０Ａを参照すると、外向きに延出させられたリフトアーム２６０，２６０は、第２の引っ掛けツール２９０を使用して、スロット２６６，２６６’をさっと取ること(snagging)によって係合されることができる。リフトアーム２６０，２６０’がそのように係合されると、パネル２３４，２３６が第１の引っ掛けリーチツール２９０を使用して不完全に持ち上げられる間に、操作者は持ち上げられているパネル２３４又は２３６を引き上げた第１の引っ掛けツールを次に引き抜き、第２のツール２９０のシャンク２９２とのパネルの遠位エッジの干渉によって部分的に持ち上げられたそのパネルを保持することができる。これは、第１の引っ掛けツールを、持上げアーム２６０，２６０’の操作によって、第１の引っ掛けツールがパネル２３４の閉鎖と干渉する位置から、完全直立ホーム位置に移す。次に、操作者は、格子にある小さな開口を通じて第２のツール２９０のシャンク２９２を垂直に引き上げる。これは、アームの遠位端２６３，２６３’、ここではホイール２６４，２６４’が、側壁２２４ａ，２２４ｃ上を上向きに移動するよう、係合させられたリフトアーム２６０又は２６０’を上向きに上方に枢動させる。図２０及び図２０Ａを参照すると、ツール２９０の垂直方向の引っ張りは、リフトアーム２６０、２６０’の近位端２６１，２６１’がその接続されたパネル２３４又は２３６に対して十分な横方向の力を加えて、パネル２３４，２３６を押してホーム位置２１３への回転を完了させるまで続く。図２１及び図２１Ａを参照すると、ホーム位置への完了に近づくと、含められた凹部２３３，２３３’及びランプ２４１を備えるパネル２３４，２３６は、ラッチ２４７，２４９の遠位戻り部２４８の傾斜と係合し、差込みノッチ２５１は、ランプラッチキャッチエッジ２３５を越えてスライドして、パネル２３４，２３６が本質的に垂直に配置された状態でパネルホルダ２４０に対してパネル２３４，２３６を捕捉する。引っ掛けツール２９０は、格子内の小さな開口を通じて完全に垂直に引き抜かれる。
【００５７】
図１２Ａ、図１２Ｂ、図４０及び図４１に描写する実施形態におけるように、パネル２３６は、パネルの近位端と遠位端との中間にドレイン２７０を備える。ドレイン２７０は、パネル２３６を通じる中空管２７１のような導管を含み、パネル頂面２３８に開口２７２を有する。図４０〜図４８を特に参照すると、参照番号２７３によって概ね示す自己作動ドレイン閉鎖装置(self  actuating  drain  closure)は、パネル２３６のパネル軸２４３ｃと平行な軸２７５上で適切に回転可能に枢動するプラグ２７４を含む。プラグ軸２７５が、パネル２３６の遠位端２３６ｂとドレイン導管２７１との間に位置付けられる。動作的には、プラグ２７４は、パネル２３６が通路閉鎖位置にある間に、プラグ２７４を手動で枢動軸２７５上で上向きに枢動させて、ドレイン開口２７２からプラグ２７４を取り外して、装置２００によって保護されている換気シャフト内に入ることがパネルによって防止されているボックス２１０内に収容されているボックス２１０内の洪水の水を排水する。ボックス２１０の排水後、パネル２３６がホーム位置まで上向きに枢動的に上昇させられて、大気開口と保護された換気ダクトとの間の換気の再開を可能にすると、プラグ２７５は、重力の力により自動的に下向きに枢動して、プラグを導管孔２７２内に配置する。
【００５８】
より具体的には、パネル２３６は、ドレイン２７０とパネル２３６の遠位端２３６ｂとの間でパネル２３６の頂面２３８に固定的に取り付けられた離間したポスト２７６、２７６’を有する。ピボット軸ロッド２７５が、ポスト２７６，２７６’によってパネル２３６の軸２４３ｃと平行に支持され、パネル２３６の頂面２３８より上方でポストの間に架かる。ドレイン閉鎖装置２７３は、上昇させられたドレイン開放位置及びドレイン閉鎖位置への移動のため、その一端２７７ａでピボット軸ロッド２７５と協働して枢動的に回転するプラグアーム２７７を含む。ピボット軸ロッド２７５は、プラグアーム２７７がピボット軸ロッド２７５上で回転する状態でポスト２７６、２７６’に固定されてよく、或いは、ピボット軸ロッド２７５は、プラグアーム２７７がピボット軸ロッド２７５に固定された状態でポスト２７６、２７６’内で回転してよい。
【００５９】
プラグアーム２７７は、ピボット軸ロッド２７５から離れた取付け突起２７８を含む。プラグ２７４は、凹面の封止ガスケット２８０と、頂板２８１及び底板２８２とを更に含み、頂板及び底板は、両方とも封止ガスケット２８０よりも大きさが小さい。図面に示すように、ドレイン導管２７１は円筒形であり、頂板２８１及び底板２８２は円形ディスクであり、凹面の封止ガスケット２８０は円形である。他の相補的な導管、ガスケット及び板形状が使用されてよく、円形が適しており、おそらく複雑さがより少ないが、そうである必要はない。凹面の封止ガスケット２８０は、穴２８４，２８４’内にファスナ２８３によって頂板２８１と底板２８２との間に固定される。少なくとも底板２８２は、導管開口２７２に入って塞ぐように構成された大きさを有する。ガスケット２８０を挟装する頂板及び底板２８１，２８２は、底板２８１より上方に延びる外側の外向きに凹面のガスケット部分２８０’を露出させる。頂板及び底板２８１，２８２は、取付け突起２７８でプラグアームに固定的に接続され、それにより、ドレイン２７０の方向においてピボット軸ロッド２７５を越えてプラグ２７４の重心を配置する。よって、パネル２３６が、パネル２３６が通路閉鎖位置２１５にある状態でボックス２１０を排水するために上昇させられた位置にあるプラグ２７４を有するとき、パネル２３６は、次に、（プラグ２７４が上昇させられた位置にある状態で）ホーム位置に向かって上向きに回転させられて、ボックス２１０を通じる換気を回復するとき、プラグ２７４は−プラグ軸２７５の前方で上昇させられたプラグの中心化された質量に対して作用する重力の故に−落下して、上昇させられた位置からパネル２３６と平行な位置まで下向きに回転し、少なくとも底板２８２をドレイン導管開口２７２内に配置し、それにより、外側の上向きに凹面のガスケット部分’が頂板及び底板２８１，２８２とドレイン導管開口２７２との間の空間を封止した状態で、ドレイン導管開口２７２を閉鎖する。
【００６０】
プラグアーム２７４は、適切には、引っ掛けリーチツール２９０にある２９１のような突起によるプラグアーム２７４の引っ掛け捕捉のために、プラグ軸２７５及びロッド２７５から離れたアーム２７４の末端と取付け突起との中間に下方レリーフ２７９(下方逃げ部)(inferior  relief)を含む。操作者が、支持体２１０を覆う格子の開口を通じてツール２９０を挿入し、下方レリーフ２７９を引っ掛け、ツール２９０を持ち上げて、捕捉されたアームツール２９０を上昇させて、パネル２３６が通路閉鎖位置２１５にある間にボックス２１０を排水するためにドレイン開口２７０からプラグ２７４を取り外す。
【００６１】
図４７及び図４８を参照すると、プラグ２７４の変形について適用可能である場合には、図４０〜図４６と同じ参照番号が使用される。変形プラグは、参照番号３１０によって概ね示されている。図４７を図３５Ａと比較する。プラグ３１０は、２９０のようなリーチツールが頂板２１０より上方でプラグアーム２７７の遠位端３１１に形成された挿入部３１０でプラグアーム２７７を捕獲することができる場所を配置する。底板２８２は、ドレイン導管２７０の開口２７２内へのより深い到達範囲(reach)及びより大きな質量を有する逆切頭円錐部材に構成されている。
【００６２】
自己作動ドレイン閉鎖装置２７３が存在しないならば、他の種類のドレイン閉鎖装置を用いて、操作者が、他の種類のドレイン閉鎖装置が開いたままでパネル２３６をホームまで上昇させて、頂部開口２２６を通じてボックス２１０に入る水が、パネル２３６が通路閉鎖位置２１５にあるときに閉鎖されていることが意図される換気シャフトに入る状況を創り出すという、リスクがある。上昇するパネル２３６の作用によって孔２７２を自動的に閉鎖する「フールプルーフ(絶対安全な)(fool  proof)」自己作動手段の存在は、パネル２３６が引き続きパネル閉鎖位置２１５まで下げられるときに、ドレイン孔２７０が既に閉鎖されていることを保証する。
【００６３】
ここで図５０〜図５１Ａを参照すると、他の例示的な実施形態は、単一のパネルを利用する。例示的な対のパネルの実施形態におけるものと同じである単一のパネルの例示的な実施形態における構成要素は、例示的な対のパネルの実施形態におけると同じ参照番号を有する。単一のパネルの例示的な実施形態は、他の例示的な実施形態と同様に、垂直換気シャフトの直線的な大気開口を想定し、
換気シャフトを通じてシャフトの上の格子にある大気開口に流体連通する地下換気ダクトへのシャフトを通じた換気を通常通り可能にし、洪水の危険性があるときには、地下換気ダクト内への地表水の下向きの流れを防止するように動作可能である。単一のパネルの例示的な実施形態は、一対のパネルの例示的な実施形態と同様に、底部及び頂部で開放する四角の垂直ボックスとして具現される支持体を含み、ボックス支持体の頂部開口と底部開口の間に通路２２５を定める。幾つかの詳細は構成の単純性のために省略されているが、一対のパネルの例示的な実施形態の記述から理解されるであろう。例示的なフランジ、例えば、２２０ｂ，２２０ｃは、水平に延び、換気シャフトの垂直壁の上に位置する（フランジ２２０ａ，２２０ｄは、図５０〜図５０Ａにおいて参照番号によって示されていないが、先の実施形態から理解されるであろう）。支持ボックス側壁２２４ｂ，２２４ｃ，２２４ｄは、図５０Ａ及び図５１Ａの断面図に見える（側壁２２４ａは、一対のパネルの実施形態の記述から理解されるであろう。）ボックス２１８の４つの側壁２２４ａ，２２４ｂ，２２４ｃ，２２４ｄは、一対のパネルの例示的な実施形態におけるように、４つの垂直換気シャフト壁の内側に垂直に適合する。一対のパネルの例示的な実施形態におけるストッパ２３０ａ，２３０ｄのようなストッパが、図１〜図２Ａの例示的な実施形態における２２９のような底部開口に近接して、側壁２２４ａ，２２４ｂ及び２２４ａ，２２４ｄ内にあり、且つそれらにそれぞれ接続され、それらは通路２２５を塞がない。隣接する側壁は、それぞれのストッパ２３０ａ，２３０ｄより上に丸みのある隅部２２７ａ，１２７ｄを有するベース２２７を含む。
【００６４】
クレードル２１１ａ，２１１ｃは、側壁２２４ｄに隣接して、対向する側壁２２４ａ及び２２４ｃの上方側に形成されている。示されている装置は、それを換気シャフト内に下降させてシャフトの壁の上に位置付けることによって暴風雨水から通気通路を封止するための溶液中の降下物として適している。適所で、格子（図示せず）が頂部開口２２６を覆う。通常の操作において、支持体ボックスの内部への操作者のアクセスは、格子を通じてである。
【００６５】
ここで図５０〜図５１Ａを参照すると、押し出された管組織を含むビーム２４２は、通路２２５を塞がないよう横断して水平に架かり、側壁２２４ｄに隣接して並びに頂部開口２２６に近接してボックス２１０の対向する側壁２２４ａ，２２４ｃに接続する。ビーム２４２は、クレードル２１１ａ，２１１ｃ内に収容され、操作者がビーム折畳み可能なハンドル２１２ａ，２１２ｃを保持することによって、溝２１１ａ，２１１ｃ内に便利に下降させられる。ビーム２４２及びストラップ２４４は、懸架部材を含む。支持体ボックスをフランジ２２０上に位置する換気シャフト内に装着した後に、ビーム２４２及びその取り付けられた機器を完全に組み立てられたユニットとして所定の場所に下降させることができる。ハンドル２１２ａ，２１２ｃを用いてビーム２４２を溝２１１ａ，２１１ｃから引き抜くことによって、保守のために、この組み立てられたユニットを支持体ボックスから取り外すことができる。
【００６６】
図５１Ａを特に参照すると、ヒンジ取付け部材２４５は、複数のストラップ２４４によってビーム２４２に接続されたビーム２４２と同じように、通路２２５を塞がないよう横断して水平に架かる（図５０Ａ及び５１Ａの断面図では２４４ｄだけが見える）。クレードル２１１ａ及び２１１ｃ内に収容されて、ビーム２４２及びヒンジ取付け部材２４５は、ビーム２４２はヒンジ取付け部材２４５の真上にある状態で、側壁２２４ｄに隣接して側壁２２４ａ，２２４ｃの間に架かる。ヒンジ取付け部材２４５は、複数のヒンジ部材２４３を取り付け且つ支持する。ヒンジ部材２４３は、一対のパネルの例示的な実施形態と同様に、それぞれ、静止部材２４３ｂと、可動部材２４３ａと、静止部材２４３ｂと可動部材２４３ａとを相互接続するヒンジピン２４３ｃとを含み、静止部材２４３ｂは、ヒンジ取付け部材２４５に接続する。図５１Ａでは、要素の不明瞭化を避けるために、可動部材２４３ａのみが参照されている。
【００６７】
（一対のパネルの例における２３６ａ，２３６ｂと同じと理解される）近位部分及び遠位部分をそれぞれ有する単一のパネル２３６は、近位部分２３６ａで、可動ヒンジ部材２４３ａによって、静止ヒンジ部材２４３ｂに接続され、それにより、ヒンジ取付け部材２４５に接続され、一対のパネルの例におけるように、ヒンジ取付け部材２４５からストラップ２４４ａ，２４４ｂ，２４４ｃ，２４４ｄを介してビーム２４２に至る。ヒンジピン２４３ｃ上でのパネル２３６の近位部分２３６ａへの可動ヒンジ部材２４３ａの接続は、パネル２３６の垂直回転のためのパネル２３６のピボット軸を形成する。パネル２３６は、ビーム２４２の下に押し込まれた直立ホーム位置から或いは直立ホーム位置に回転する。以下に更に記載するように、上向きの（例示的な実施形態において反時計回りの）ホーム位置へのパネル２３６の回転は手動でもたらされる。ビーム２４２の下に押し込まれたパネル２３６のホーム位置は、通路２２５を閉塞しない。回転中のパネル２３６は、専らその自重の重力による推進力の下で、直立ホーム位置から、更なる回転がストッパ２３０ａ，２３０ｄによって阻止される下方通路閉鎖位置に落ちる。各パネルは、パネルが重力によって通路閉鎖位置まで回転するときに通路を閉鎖するプロファイルを有する。
【００６８】
図５０〜図５１Ａに例示する実施形態において、一対のパネルの例におけるパネル２３６と同じパネル２３６は、パネルホルダラッチキャッチ２３５’を含む凹部２３３’を含む。パネル２３６用のパネルホルダ２４０ラッチ２４９。ラッチ２４９を含むパネルホルダ２４０は、懸架部材２４２によって支持されている。ラッチ２４９は、ラッチの近位端で、水平軸上で垂直に枢動する。ラッチ軸は、ピン２４３ｃのパネル軸と平行である。パネルホルダラッチ２４９は、図６のラッチ２４７と同様に、ラッチ軸から遠位に、ラッチノッチ２５１’で終端する傾斜面を有する下方戻り部まで外側に旋回的に延びる。パネル２３６が垂直に上向きに回転させられるときに、ラッチ２４９の下方戻り部がパネルによって支持されるランプ２４１’と滑り接触させられ、差込みノッチ２５１’がラッチキャッチエッジ２３５’を通り過ぎてラッチ２４９を捕捉するまで、ラッチの傾斜面がランプ２４１’上で滑動するよう、凹部２３３’及びラッチ２４９は、水平に及び垂直に互いに整列させられる。この捕捉は、パネル２３４，２３６をホーム位置２１３に保持する。一対のパネルの例の場合におけるように、ラッチ及びラッチキャッチの配置を逆にすることができる。
【００６９】
一対のパネルの例の場合におけるように、パネルホルダ２４０は、パネルホルダ２４０に接続されたロッド２４６によって懸架部材２４２から移動可能に吊り下げられている。ロッド２４６は、ストラップ２４４ｂ，２４４ｃの間に締め付けられたブレース２５５を通じてスライド可能に並進可能にビーム２４２を通じて取り付けられ、カバー２５３の下のＴ字ハンドル２５２でビーム２４２より上で終端し、四辺形の支持体２１０を覆う格子を通じた歩行者の視界からＴ字ハンドルを隠す。ロッド２４６及びＴ字ハンドル２５２は、パネル解放装置を含む。Ｔ字ハンドルは、カバー２５３の下に達してパネルホルダ２４０を持ち上げるためにＴ字ハンドルを引っ掛けるよう支持体を覆う格子にある小さな開口を通じて垂直に挿入されることができるリーチツールの突起又はフックによるような、便利な保持を提供する。Ｔ字ハンドル２５２によってロッド２４６を持ち上げることは、パネルホルダ２４０を上向きに移動させて、可動部材２４７，２４９がキャッチ２４１，２４１’に対するそれらの保持を失うようにさせ、パネル２３４，２３６を解放させ、パネル２３４、２３６が、専らそれらの自重の推進力によって、直立ホーム位置２１３から下方通路閉鎖位置２１５まで重力により降下することを可能にする。
【００７０】
図５１に示すように、一対のパネルの例の場合におけるように、単一のパネルの例示的な実施形態は、ピボットピン２６７によってヒンジ軸２４３ｃと平行なピボット軸上でパネル２３６の底面に枢動的に接続される近位端２６１’と、遠位端２６３’とを有する、リフトアーム２６０’を含み、リフトアーム２６０’は、ホーム位置へのパネル２３６の回転を完了させるよう、パネルハンドル２５９’を用いて上昇させられている接続されたパネル２３６に横方向の力を加えるために、遠位端２６３’が側壁２２４ｂの内側で上向きに枢動されるときに、遠位端２６３’を対向する側壁２２４ｂと接触させるような寸法とされる。
【００７１】
図５０〜図５１Ａに示すように、一対のパネルの例の場合と同様に、単一のパネルの例示的な実施形態は、パネル２３６の近位端と遠位端との中間にパネル２３６内にドレイン２７０を含み、ドレイン２７０は、パネル２３６を貫通する導管２７１を含む。導管２７１は、パネル２３６の頂面にある開口２７２と、ドレインの導管２７１とパネル２３６の遠位端２３６ｂとの間に位置付けられる排水管プラグ軸２７５上で枢動的に回転可能なプラグ２７４を含む自己作動ドレイン閉鎖体２７３(self  actuating  drain  closure)とを有し、ドレインプラグ軸２７５は、水平ヒンジ軸２４３ｃと平行である。動作的には、プラグ２７４は、パネル２３６が通路閉鎖位置にあるときにパネル２３６によって換気シャフトに入るのを防止される支持体ボックス内に収容される水を排出するためにドレイン開口２７２からプラグを取り除くために、ドレインプラグ軸２７５上で手動で上向きに枢動可能である。支持体ボックスの排水後、パネル２３６が、ホーム位置まで上向きに枢動的に少々させられて、大気開口と保護された換気ダクトとの間の換気の再開を可能にすると、プラグ２７４は、その自重の重力による推進力によって自動的に下向きに枢動して、プラグを導管開口２７２内に配置する。結果的に、パネル２３６が重力により通路閉鎖位置まで下向きに回転するときに、ドレイン導管開口２７２は既に閉じられている。
【００７２】
本発明の着想を組み込んだ実施形態の例示的な例を説明したので、当業者はこれらの実施形態によって導かれるようにこれらの着想を使用することができ、それにも拘わらず本明細書に開示された着想を包含し且つ依然として後続の請求項において請求されるような本発明の範囲内にある代替的な変形を形成することがある。
【図１】
2019525126.tif 000003
【図２】
2019525126.tif 000004
【図２Ａ】
2019525126.tif 000005
【図３】
2019525126.tif 000006
【図４】
2019525126.tif 000007
【図５】
2019525126.tif 000008
【図６】
2019525126.tif 000009
【図７】
2019525126.tif 000010
【図８】
2019525126.tif 000011
【図９】
2019525126.tif 000012
【図１０】
2019525126.tif 000013
【図１１】
2019525126.tif 000014
【図１２Ａ】
2019525126.tif 000015
【図１２Ｂ】
2019525126.tif 000016
【図１３Ａ】
2019525126.tif 000017
【図１３Ｂ】
2019525126.tif 000018
【図１４】
2019525126.tif 000019
【図１４Ａ】
2019525126.tif 000020
【図１５】
2019525126.tif 000021
【図１６】
2019525126.tif 000022
【図１７】
2019525126.tif 000023
【図１８】
2019525126.tif 000024
【図１９】
2019525126.tif 000025
【図１９Ａ】
2019525126.tif 000026
【図２０】
2019525126.tif 000027
【図２０Ａ】
2019525126.tif 000028
【図２１】
2019525126.tif 000029
【図２１Ａ】
2019525126.tif 000030
【図２２】
2019525126.tif 000031
【図２２Ａ】
2019525126.tif 000032
【図２３】
2019525126.tif 000033
【図２３Ａ】
2019525126.tif 000034
【図２４】
2019525126.tif 000035
【図２５】
2019525126.tif 000036
【図２６】
2019525126.tif 000037
【図２７】
2019525126.tif 000038
【図２８】
2019525126.tif 000039
【図２９】
2019525126.tif 000040
【図３０】
2019525126.tif 000041
【図３１】
2019525126.tif 000042
【図３２】
2019525126.tif 000043
【図３３】
2019525126.tif 000044
【図３４】
2019525126.tif 000045
【図３５】
2019525126.tif 000046
【図３６】
2019525126.tif 000047
【図３７】
2019525126.tif 000048
【図３８】
2019525126.tif 000049
【図３９】
2019525126.tif 000050
【図４０】
2019525126.tif 000051
【図４１】
2019525126.tif 000052
【図４２】
2019525126.tif 000053
【図４３】
2019525126.tif 000054
【図４４】
2019525126.tif 000055
【図４５】
2019525126.tif 000056
【図４５Ａ】
2019525126.tif 000057
【図４５Ｂ】
2019525126.tif 000058
【図４５Ｃ】
2019525126.tif 000059
【図４５Ｄ】
2019525126.tif 000060
【図４６】
2019525126.tif 000061
【図４７】
2019525126.tif 000062
【図４８】
2019525126.tif 000063
【図４９Ａ】
2019525126.tif 000064
【図４９Ｂ】
2019525126.tif 000065
【図４９Ｃ】
2019525126.tif 000066
【図５０】
2019525126.tif 000067
【図５０Ａ】
2019525126.tif 000068
【図５１】
2019525126.tif 000069
【図５１Ａ】
2019525126.tif 000070
【国際調査報告】
2019525126.tif 000071
2019525126.tif 000072